(57)【特許請求の範囲】
【請求項１】
ベッドサイドレールの上レールに載せるための上部架体（１１）及び上部振れ止め（１２）、該ベッドサイドレールの下レールを挟むための下部架体（１３）及び上下左右に移動可能な下部振れ止め（１４）を具備することにより、あらゆるタイプのベッドサイドレールに工具を用いることなく着脱が可能であることを特徴とするベッドサイドテーブル。
【請求項２】
垂直方向に移動可能な滑り柱（２０）及びそれを保持する滑り柱保持体（３０）を具備することによりテーブル板（５０）の垂直方向の移動が可能であることを特徴とする請求項１記載のベッドサイドテーブル。
【請求項３】
テーブル板（５０）は締緩可能なテーブル板押さえ（６０）によりテーブル板受け体（５５）に押し着けて固定されており、該テーブル板押さえ（６０）を締緩することにより水平方向の移動及び折りたたみ収納が可能であることを特徴とする請求項１記載のベッドサイドテーブル。
【発明の詳細な説明】
【技術分野】
【０００１】
本発明は、あらゆるタイプのベッドサイドレール（以降、サイドレールという。）に着脱が可能なベッドサイドテーブルに関するものである。          
【背景技術】
【０００２】
ベッドで就寝する際には、メガネやテレビのリモコンなど身の回りの小物類を近くに置いておく場所が求められる。
【０００３】
また、その位置も必要に応じて変えることが可能で且つマットカバーなどを交換するにあたって支障とならないと便利である。
【０００４】
従来から多くの種類のベッドサイドテーブルが公知されているが、いわゆるオーバーベッドテーブルは概して構成が大きく、また重量もあるためテーブル板の着脱や移動が困難である。
【０００５】
一方、サイドレールに取り付けるタイプのベッドサイドテーブルも公開されているが、取り付けられるサイドレールのタイプが限定されるなどその機能は不十分である。
【先行技術文献】
【特許文献】
【０００６】
【特許文献１】特開２０００−９３４６６号公報
【０００７】
特許文献１には、サイドレールに取り付けるタイプのベッドサイドテーブルが公開されているが、取り付けにあたっては取り付け器具を要し、また取り付け先のサイドレールは上下に平行なタイプに限定される。
さらに、一度取り付けると、外すには取り付けと同程度の工程を要するため面倒である。また、テーブル面の移動が出来ない。
【発明の概要】
【発明が解決しようとする課題】
【０００８】
本発明が解決しようとする課題は、あらゆるタイプのサイドレールに容易に着脱が可能で且つテーブル面が自在に移動できるベッドサイドテーブルを提供することにある。  
【課題を解決するための手段】
【０００９】
本発明のベッドサイドテーブルは、サイドレールの上レールに載せるための上部架体及び上部振れ止め、該サイドレールの下レールを挟むための下部架体及び上下左右に移動可能な下部振れ止めを具備することにより、あらゆるタイプのサイドレールに工具を用いることなく着脱が可能であることを特徴とする。
【００１０】
また、垂直方向に移動可能な滑り柱及びそれを保持する滑り柱保持体を具備することにより、テーブル板の垂直方向の移動が可能であることを特徴とする。
【００１１】
更に、テーブル板は締緩可能なテーブル板押さえによりテーブル板受け体に押し着けて固定されており、該テーブル押さえを締緩することにより水平方向の移動及び折りたたみ収納が可能であることを特徴とする。
【発明の効果】
【００１２】
安心快適に就寝できるとともに、着脱や移動が容易なため特に介護の場面においては介護する側、される側共に利便性が向上する。
【図面の簡単な説明】
【００１３】
【図１】本発明に係るベッドサイドテーブルの一実施例をベッド側から見た斜視図である。
【図２】本実施例をサイドレールに着脱する過程を説明する側面図である。
【図３】本実施例における下部振れ止めが上下左右に移動可能であることを説明するための正面図である。
【図４】本実施例が、あらゆるタイプのサイドレールに着脱が可能であることを説明する斜視図である。
【図５】本実施例におけるテーブル板が水平方向に移動する過程を説明する斜視図である。
【図６】本実施例におけるテーブル板が折りたためることを説明する斜視図である。
【図７】本実施例をベッドの外側から見た斜視図である。
【図８】本実施例のテーブル板が垂直方向に移動する過程を説明する斜視図である。
【発明を実施するための形態】
【００１４】
本発明に係るベッドサイドテーブルの一実施例について、図１〜図８に基づいて説明する。
図１は、本実施例をベッド側から見た斜視図である。各部分の移動可能な方向を矢印８０、矢印８１、矢印８２で示す。
木材等で適宜形成された本体基盤１０のベッド側に、上部架体１１、上部振れ止め１２及び下部架体１３が取り付けられている。また、下部架体１３には下部振れ止め１４が蝶ボルト等の容易に締緩可能な部材１５により取り付けられている。
【００１５】
上部架体１１及び上部振れ止め１２は本実施例がサイドレールの上レール１に確実に載るために機能する。
【００１６】
一方、下部架体１３及び下部振れ止め１４がサイドレールの下レール２を挟むことにより、本実施例は傾くことなく取り付けられる。
【００１７】
上記の構成により、本実施例はサイドレールに着脱が可能となり且つ該サイドレールに沿った移動が可能となる。
【００１８】
図２は、本実施例をサイドレールに着脱する過程を説明する側面図である。
図２（ａ）に示すように、下部振れ止め１４及び下部架体１３を上レール１と下レール２の間に差し入れた後、図２（ｂ）に示すように垂直に落とし込むことにより、図２（ｃ）に示すように工具を用いることなく容易に取り付けが出来る。
取り外す場合は逆手順である。
【００１９】
図３は、本実施例において、下部振れ止め１４が上下左右に移動可能であることを説明する本体基盤１０の正面図である。
金属等の中あきプレート等で形成される下部振れ止め１４は蝶ボルト等の容易に締緩可能な部材１５により下部架体１３に取り付けられている。このことにより該１５を締緩することにより容易に上下左右に移動が可能である。
【００２０】
図４は、本実施例が、あらゆるタイプのサイドレールに着脱が可能であることを説明する斜視図である。
図４（ａ）は、上レール１と下レール２の間隔が図１に示す例より広くなる場合である。
両レールの間隔が広くなっても、下部架体１３及び下部振れ止め１４は下レール２を挟んでいる。
【００２１】
図４（ｂ）は、上レール１と下レール２の間隔が図１に示す例より狭くなる場合である。
下部振れ止め１４のプレートを上方に移動させることにより下レール２を挟むことが出来る。
【００２２】
図４（ｃ）は、下レール２が縦レール３になった場合である。
下部振れ止め１４のプレートを横向きにすることにより縦レール３を挟むことが出来る。
【００２３】
図５は、本実施例のテーブル板が水平方向に移動する過程を説明する斜視図である。
図５（ａ）に示すように、テーブル板５０は、上下に移動可能なテーブル板押さえ６０及び蝶ボルト等の容易に締緩可能な部材６１により、テーブル板受け体５５に押し着けて固定されている。
【００２４】
図５（ｂ）に示すように、蝶ボルト等の容易に締緩可能な部材６１を緩めテーブル板押さえ６０を上方へ移動することにより、テーブル板５０は水平方向に移動が可能となる。
【００２５】
図５（ｃ）に示すように、任意の位置でテーブル押さえ６０を下げて蝶ボルト６１を締めることによりテーブル板５０は再度押し着けられて固定される。
【００２６】
図６は、本実施例のテーブル板が折りたためることを説明する斜視図である。
図６（ａ）に示すように、テーブル板５０をベッド外側に出し切った後、テーブル板留め７１を外すことにより、テーブル板５０及びテーブル板受け体５５は蝶番７０（図６（ｂ）参照）を軸として回転する。  
【００２７】
その結果、図６（ｂ）に示すように、縦に折りたたむことができる。
【００２８】
図７は、本実施例をベッドの外側から見た斜視図である。各部分の移動可能な方向を矢印８０、矢印８１、矢印８２で示す。
本体基盤１０の外側に、滑り柱保持体３０が取り付けられ、その中に滑り柱２０が配置されている。
滑り柱２０と滑り柱保持体３０とは固定されていないため、滑り柱２０は滑り柱保持体３０の中を円滑に上下移動することができる
【００２９】
滑り柱２０には複数の高さ調整穴４０が、また、滑り柱保持体３０には高さ調整ピン４５がそれぞれ形成されており、高さ調整ピン４５を高さ調整穴４０に出し入れすることにより滑り柱２０は適宜な高さで固定が可能となる。
【００３０】
図８は、本実施例のテーブル面が垂直方向に移動する過程を説明する斜視図である。
本実施例では、図８（ａ）、図８（ｂ）、図８（ｃ）に示すように３段階に高さ移動が可能である。
なお、調整する段階は３段階に限定しない。
【符号の説明】
【００３１】
１    上レール
２    下レール
３    縦レール
１０  本体基盤
１１  上部架体
１２  上部振れ止め
１３  下部架体
１４  下部振れ止め
１５  蝶ボルト等の容易に締緩可能な部材
２０  滑り柱
２５  滑り柱上部体
３０  滑り柱保持体
４０  高さ調整穴
４５  高さ調整ピン
５０  テーブル板
５５  テーブル板受け体
６０  テーブル板押さえ
６１  蝶ボルト等の容易に締緩可能な部材
７０  蝶番
７１  テーブル板留め
８０  テーブル板５０の水平方向の動きを示す
８１  滑り柱２０の垂直方向の動きを示す
８２  本実施例のサイドレールに沿った動きを示す
【要約】
【課題】あらゆるタイプのベッドサイドレールに工具を用いることなく着脱が可能で且つテーブル面は垂直方向及び水平方向に移動可能なベッドサイドテーブルを提供する。
【解決手段】ベッドサイドレールの上レールに載せるための上部架体１１及び上部振れ止め１２、該ベッドサイドレールの下レールを挟むための下部架体１３及び上下左右に移動可能な下部振れ止め１４を具備することによりあらゆるタイプのベッドサイドレールに工具を用いることなく着脱が可能であり、また、滑り柱２０及び滑り柱保持体３０を具備することによりテーブル面の垂直方向への移動が、さらにテーブル板押さえ６０を具備することにより該面の水平方向への移動が可能となる。
【選択図】図1【図１】
0006968490.tif 000002
【図２】
0006968490.tif 000003
【図３】
0006968490.tif 000004
【図４】
0006968490.tif 000005
【図５】
0006968490.tif 000006
【図６】
0006968490.tif 000007
【図７】
0006968490.tif 000008
【図８】
0006968490.tif 000009